(57)【要約】【目的】  太陽電池を太陽の移動に追従させるシステムを小型化する。【構成】  太陽電池１２は、太陽電池パネル１６、表示パネル１８、第１弾性部材２０、屈曲プレート２２、及び第２弾性部材２４が積層接合されて構成されている。太陽電池パネル１２は透明で、表示パネル１８には白黒画像である遮光パターンが時刻や方位に応じて表示される。屈曲プレート２２は、紫外光が当ると屈曲する樹脂で形成され、第１弾性部材２０と第２弾性部材２４によって屈曲自在とされている。屈曲プレート２２は、表示パネル１８の無表示部を透過した紫外光によって屈曲され、太陽電池パネル１６の受光面１６Ａの向きを変化させる。【選択図】  図４
2005159021.tif 000002
【特許請求の範囲】
【請求項１】
受光面に入射した光によって発電される透明な太陽電池パネルと、
前記太陽電池パネルの裏面に接合され、表示領域は光を遮り、非表示領域は光を透過する遮光パターンを表示する表示パネルと、
紫外光が当ると屈曲する樹脂で形成されたプレートで、前記表示パネルの裏側に設けられ、前記非表示領域を透過した紫外光によって一部が屈曲されて前記受光面の向きを変化させる屈曲プレートと、
日中絶えず太陽光が前記受光面に略直交して入射するように、前記遮光パターンの形状、大きさを太陽の移動に合わせて変更して前記屈曲プレートの屈曲する部分の位置、範囲を変化させる第１遮光制御手段と、
を有することを特徴とする太陽電池。
【請求項２】
受光面に入射した光によって発電される透明な太陽電池パネルと、
前記太陽電池パネルの裏面に接合され、表示領域は光を遮り、非表示領域は光を透過する遮光パターンを表示する表示パネルと、
紫外光が当ると屈曲する樹脂で形成されたプレートで、前記表示パネルの裏側に設けられ、前記非表示領域を透過した紫外光によって一部が屈曲されて前記受光面の向きを変化させる屈曲プレートと、
最も太陽高度が高い時間帯に太陽光が前記受光面に略直交して入射するように、該時間帯に所定の形状、大きさの前記遮光パターンを前記表示パネルに表示して前記屈曲プレートの所定の部分を屈曲させる第２遮光制御手段と、
を有することを特徴とする太陽電池。
【請求項３】
前記屈曲プレートの両面に接合され、伸縮して前記屈曲プレートを前記表示パネル側と設置面側との間で屈曲自在とする弾性部材を有することを特徴とする請求項１又は２に記載の太陽電池。
【請求項４】
受光面に入射した光によって発電される透明な太陽電池パネルと、
前記太陽電池パネルの裏面に接合され、表示領域は光を遮り、非表示領域は光を透過する遮光パターンを表示する表示パネルと、
紫外光が当ると屈曲する樹脂で形成されたプレートで、前記表示パネルの裏側に設けられ、前記非表示領域を透過した紫外光によって一部が屈曲されて前記受光面の向きを変化させる屈曲プレートと、
日中絶えず太陽光が前記受光面に略直交して入射するように、前記遮光パターンの形状、大きさを太陽の移動に合わせて変更して前記屈曲プレートの屈曲する部分の位置、範囲を変化させる第１遮光制御手段と、
を有し、前記太陽電池パネルで発電された電力で駆動されることを特徴とする太陽電池搭載機器。
【請求項５】
受光面に入射した光によって発電される透明な太陽電池パネルと、
前記太陽電池パネルの裏面に接合され、表示領域は光を遮り、非表示領域は光を透過する遮光パターンを表示する表示パネルと、
紫外光が当ると屈曲する樹脂で形成されたプレートで、前記表示パネルの裏側に設けられ、前記非表示領域を透過した紫外光によって一部が屈曲されて前記受光面の向きを変化させる屈曲プレートと、
最も太陽高度が高い時間帯に太陽光が前記受光面に略直交して入射するように、該時間帯に所定の形状、大きさの前記遮光パターンを前記表示パネルに表示して前記屈曲プレートの所定の部分を屈曲させる第２遮光制御手段と、
を有し、前記太陽電池パネルで発電された電力で駆動されることを特徴とする太陽電池搭載機器。
【請求項６】
前記屈曲プレートの両面に接合され、伸縮して前記屈曲プレートを前記表示パネル側と設置面側との間で屈曲自在とする弾性部材を有することを特徴とする請求項４又は５に記載の太陽電池搭載機器。
【発明の詳細な説明】
【技術分野】
【０００１】
本発明は、太陽光を受光して発電する太陽電池、及び太陽電池を搭載する太陽電池搭載機器に関する。
【背景技術】
【０００２】
従来から太陽電池の受光面を太陽の移動に追従させることによって、太陽光を受光面に効率良く取り込んで発電量を増やす太陽電池システムが考案されている（例えば、特許文献１参照）。
【０００３】
しかし、特許文献１では、太陽電池パネルを起伏、旋回させる大型の起伏旋回装置が用いられており、プラント等の大規模な施設には設置できるが、一般の住宅には耐荷重や設置スペースの問題で設置するのは困難であった。また、カメラ等の携帯機器に設置すると、起伏旋回装置と太陽電池パネルが筐体から突出し、携帯性が悪くなるので適さなかった。
【特許文献１】特開平１１−２７３４２４号公報
【発明の開示】
【発明が解決しようとする課題】
【０００４】
本発明は上記事実を考慮してなされたものであり、太陽電池の受光面を太陽の移動に追従させるシステムを小型化し、また、携帯性に優れた形状にすることを目的とする。
【課題を解決するための手段】
【０００５】
請求項１に記載の太陽電池は、受光面に入射した光によって発電される透明な太陽電池パネルと、前記太陽電池パネルの裏面に接合され、表示領域は光を遮り、非表示領域は光を透過する遮光パターンを表示する表示パネルと、紫外光が当ると屈曲する樹脂で形成されたプレートで、前記表示パネルの裏側に設けられ、前記非表示領域を透過した紫外光によって一部が屈曲されて前記受光面の向きを変化させる屈曲プレートと、日中絶えず太陽光を前記受光面に略直交して入射するように、前記遮光パターンの形状、大きさを太陽の移動に合わせて変更して前記屈曲プレートの屈曲する部分の位置、範囲を変化させる第1遮光制御手段と、を有することを特徴とする。
【０００６】
請求項１に記載の太陽電池では、透明な太陽電池パネルの裏面に光を透過可能な表示パネルが接合され、この表示パネルの裏側に、紫外光が当ると屈曲する樹脂で形成された屈曲プレートが設けられている。
【０００７】
太陽電池パネルの受光面に太陽や蛍光灯等の光が入射すると発電が起こる。太陽電池パネルは透明なので、受光面に入射した光は太陽電池パネルを透過して表示パネルに入射する。この表示パネルには遮光パターンが表示されており、遮光パターンの表示領域では、光が遮られ、非表示領域では光が透過する。そして、非表示領域を透過した光は屈曲プレートに入射し、この入射光に含まれる紫外光によって屈曲プレートの一部が屈曲されて受光面の向きが変化される。
【０００８】
ここで、第１遮光制御手段は、日中絶えず太陽光が受光面に略直交して入射するように、太陽の移動に合わせて遮光パターンの形状、大きさを変更して、屈曲プレートの屈曲する部分の位置、範囲を変化させる。これによって、日中絶えず受光面に入射する光量を多くすることができ、発電量を増やすことができる。
【０００９】
また、太陽電池パネルの裏側に液晶等の表示パネルと樹脂性のプレートを付加するだけで、太陽電池パネルの受光面を太陽の移動に追従させることができる。即ち、太陽電池全体をパネル状（プレート状）に構成できるので、太陽電池全体を小型化できる。また、平面であれば取付けることができ、取付性が高い。さらに、携帯機器に設置しても筐体から突出しないので携帯性が高い。
【００１０】
請求項２に記載の太陽電池は、受光面に入射した光によって発電される透明な太陽電池パネルと、前記太陽電池パネルの裏面に接合され、表示領域は光を遮り、非表示領域は光を透過する遮光パターンを表示する表示パネルと、紫外光が当ると屈曲する樹脂で形成されたプレートで、前記表示パネルの裏側に設けられ、前記非表示領域を透過した紫外光によって一部が屈曲されて前記受光面の向きを変化させる屈曲プレートと、最も太陽高度が高い時間帯に太陽光が前記受光面に略直交して入射するように、該時間帯に所定の形状、大きさの前記遮光パターンを前記表示パネルに表示させて前記屈曲プレートの所定の部分を屈曲させる第２遮光制御手段と、を有することを特徴とする。
【００１１】
請求項２に記載の太陽電池では、第２遮光制御手段が、最も太陽高度が高い時間帯、即ち最も太陽光が強い時間帯に太陽光が受光面に略直交して入射するように、該時間帯に所定の形状、大きさの遮光パターンを表示パネルに表示させ、屈曲プレートの所定の部分を屈曲させる。これによって、最も大電力を発電できる時間帯に効率良く発電できるので、１日の発電量を増加できる。
【００１２】
請求項３に記載の太陽電池は、請求項１又は２に記載の太陽電池であって、前記屈曲プレートの両面に接合され、伸縮して前記屈曲プレートを前記表示パネル側と設置面側との間で屈曲自在とする弾性部材を有することを特徴とする。
【００１３】
請求項３に記載の太陽電池では、屈曲プレートの両面に接合された弾性部材が伸縮して、屈曲プレートを屈曲自在としている。このため、屈曲プレートから表示パネルと太陽電池パネルへ働く曲げモーメントが低減されるので、表示パネル、及び太陽電池パネルの湾曲、破損が防止される。
【００１４】
請求項４に記載の太陽電池搭載機器は、受光面に入射した光によって発電される透明な太陽電池パネルと、前記太陽電池パネルの裏面に接合され、表示領域は光を遮り、非表示領域は光を透過する遮光パターンを表示する表示パネルと、紫外光が当ると屈曲する樹脂で形成されたプレートで、前記表示パネルの裏側に設けられ、前記非表示領域を透過した紫外光によって一部が屈曲されて前記受光面の向きを変化させる屈曲プレートと、日中絶えず太陽光が前記受光面に略直交して入射するように、前記遮光パターンの形状、大きさを太陽の移動に合わせて変更して前記屈曲プレートの屈曲する部分の位置、範囲を変化させる第１遮光制御手段と、を有し、前記太陽電池パネルで発電された電力で駆動されることを特徴とする。
【００１５】
請求項４に記載の太陽電池搭載機器では、太陽電池パネルで効率良く発電が行われる。このため、この太陽電池搭載機器を長時間使用できる。
【００１６】
請求項５に記載の太陽電池搭載機器は、受光面に入射した光によって発電される透明な太陽電池パネルと、前記太陽電池パネルの裏面に接合され、表示領域は光を遮り、非表示領域は光を透過する遮光パターンを表示する表示パネルと、紫外光が当ると屈曲する樹脂で形成されたプレートで、前記表示パネルの裏側に設けられ、前記非表示領域を透過した紫外光によって一部が屈曲されて前記受光面の向きを変化させる屈曲プレートと、最も太陽高度が高い時間帯に太陽光が前記受光面に略直交して入射するように、該時間帯に所定の形状、大きさの前記遮光パターンを前記表示パネルに表示して前記屈曲プレートの所定の部分を屈曲させる第２遮光制御手段と、を有し、前記太陽電池パネルで発電された電力で駆動されることを特徴とする。
【００１７】
請求項５に記載の太陽電池搭載機器では、日中で最も太陽高度が高い時間帯に、太陽光が太陽電池パネルに略直交して入射する。このため、最もさかんに発電を行うことができる時間帯に効率良く発電できる。
【００１８】
請求項６に記載の太陽電池搭載機器は、請求項４又は５に記載の太陽電池搭載機器であって、前記屈曲プレートの両面に接合され、伸縮して前記屈曲プレートを前記表示パネル側と設置面側との間で屈曲自在とする弾性部材を有することを特徴とする。
【００１９】
請求項６に記載の太陽電池搭載機器では、屈曲プレートが弾性部材によって表示パネル側と機器の設置面側との間で屈曲自在とされている。このため、屈曲プレートから表示パネルと太陽電池パネルへ働く曲げモーメントが低減されるので、表示パネル、及び太陽電池パネルの湾曲、破損が防止される。
【発明の効果】
【００２０】
本発明は上記構成にしたので、太陽電池の受光面を太陽の移動に追従させるシステムを小型化でき、また、携帯性に優れた形状にできる。
【発明を実施するための最良の形態】
【００２１】
以下に図面を参照しながら第１実施形態について説明する。
【００２２】
図１に示すように、本発明の太陽電池１２は、デジタルカメラ１０の上面に設けられている。デジタルカメラ１０は、太陽電池１２によって発電された電力等によって各部を駆動される。
【００２３】
図２には、本実施形態のデジタルカメラ１０の回路構成を示すブロック図が示されている。
【００２４】
デジタルカメラ１０には、撮影レンズ２６、シャッタ２８、絞り２９及びＣＣＤ撮像素子３０が備えられている。撮影レンズ２６、シャッタ２８、及び絞り２９を経由してＣＣＤ撮像素子３０上に結像された被写体像は、ＣＣＤ撮像素子３０によってアナログ画像信号に変換される。ここで、シャッタ２８によって、ＣＣＤ撮像素子３０からアナログ画像信号が読み出される際のスミアの発生が抑制される。
【００２５】
また、デジタルカメラ１０には、ストロボ装置３２が内蔵されている。このストロボ装置３２は、低照度時、又は低照度時以外の必要時に閃光を発光し、被写体に補助光を照射する。
【００２６】
また、デジタルカメラ１０には、アナログ信号処理部３４、Ａ／Ｄ変換部３６、デジタル信号処理部３８、テンポラリメモリ４０、圧縮伸長部４２、内蔵メモリ（又はメモリカード）４４、液晶表示パネル４６、及び駆動回路４８が備えられている。
【００２７】
ＣＣＤ撮像素子３０は、駆動回路４８内のタイミング発生回路（図示省略）によって発生されたタイミングで駆動され、アナログ画像信号を出力する。また、駆動回路４８には、撮影レンズ２６のＡＦ駆動を制御するＡＦ制御回路、撮影レンズ２６のズーム駆動を制御するズーム制御回路、シャッタ２８の駆動を制御するシャッタ制御回路、絞り２９の駆動を制御する絞り制御回路等が含まれる。
【００２８】
ＣＣＤ撮像素子３０から出力されたアナログ画像信号は、アナログ信号処理部３４でアナログ信号処理され、Ａ／Ｄ変換部３６でＡ／Ｄ変換され、そして、デジタル信号処理部３８でデジタル信号処理される。デジタル信号処理されたデジタル画像データは、テンポラリメモリ４０に一時的に格納される。
【００２９】
テンポラリメモリ４０に格納されたデジタル画像データは、圧縮伸長部４２で圧縮されて内蔵メモリ（又はメモリカード）４４に記録される。尚、撮影モードによっては、圧縮の過程を省いて内蔵メモリ４４に直接記録しても良い。そして、テンポラリメモリ４０に格納されたデジタル画像データは液晶表示パネル４６に読み出され、液晶表示パネル４６に被写体像が映し出される。
【００３０】
また、デジタルカメラ１０には、デジタルカメラ１０全体の制御を司るＣＰＵ５０、ズーム操作スイッチ等を含む操作スイッチ群５２、及びシャッタボタン５４が備えられている。操作スイッチ群５２を操作して所望の撮影状態に設定し、シャッタボタン５４を押下することによって、写真撮影が行われる。
【００３１】
また、デジタルカメラ１０には、２次電池５１、太陽電池１２、及び１次電池１４が備えられており、デジタルカメラ１０を構成する各部は、太陽電池１２で発電される電気エネルギー、太陽電池１２で発電され２次電池５１にバッファされた電気エネルギー、又は１次電池１４の電気エネルギーで作動される。
【００３２】
図３に示すように、太陽電池１２は、太陽電池パネル１６、表示パネル１８、第１弾性部材２０、屈曲プレート２２、及び第２弾性部材２４が、記載順に積層接合されて構成されている。
【００３３】
太陽電池パネル１６は、太陽光等の光が受光面１６Ａに入射すると発電する。また、太陽電池パネル１６は、透明で光を透過する。そして、表示パネル１８は、白黒画像である遮光パターンを表示する。表示パネル１８は、画像を表示していない時は、透明なパネルで、光を透過する。このため、遮光パターンの白い領域、即ち透明な領域では光が透過し、黒い領域では光が遮られる。
【００３４】
また、第１弾性部材２０は、スポンジで形成された枠体で、中空部から光を通過させる。また、屈曲プレート２２は、紫外光が当ると屈曲する樹脂で形成されたプレートである。そして、第２弾性部材２４は、スポンジで形成されたプレートで、デジタルカメラ１０の上面に取り付けられる。ここで、屈曲プレート２２は、両面にそれぞれ接合された第１弾性部材２０と第２弾性部材２４によって屈曲自在とされている。
【００３５】
ここで、図４（Ｂ）に示すように、太陽電池１２は垂直方向に向けて設置されているので、太陽高度が日中で最も高い時間帯は、太陽光は太陽電池１２に略垂直に入射する。しかし、朝夕の太陽高度が低い時間帯では、太陽光は太陽電池１２に傾いて入射する。このままでは朝夕の発電効率が低くなるので、日中絶えず太陽光が受光面１２Ａに略垂直に入射するように受光面１２Ａの向きを太陽の移動に合わせて変化させる。以下、受光面１２Ａの向きを太陽の移動に合わせて変化させる方法について説明する。
【００３６】
図４（Ａ）に示すように、太陽光が太陽電池１２に東側から傾斜して入射する朝方は、東側を黒、西側を白（無表示）とする遮光パターンを表示パネル１８に表示する。これによって、太陽電池パネル１６を透過した光は表示パネル１８の東側では遮られ、西側では透過する。即ち、屈曲プレート２２の東側には光が入射せず、西側にのみ光が入射する。
【００３７】
屈曲プレート２２の西側の部分は太陽光に含まれる紫外光が当って第１弾性部材２０側に屈曲し、太陽電池パネル１６と表示パネル１８の西側の部分を押し上げて受光面１６Ａを傾ける。なお、屈曲プレート２２を第１弾性部材２０側に屈曲させるようにしたが、屈曲プレート２２を第２弾性部材２４側に屈曲させても屈曲プレート２２の屈曲部は第２弾性部材２４の弾性力により第１弾性部材２０側に押し上げられるので太陽電池パネル１６の向きは同様に変化する。
【００３８】
これによって、東側から傾斜して進行する太陽光と受光面１６Ａとの傾きを減少させることができ、遮光パターンの黒と白の面積比を時間の経過に合わせて適宜変化させることにより、朝方絶えず太陽光を受光面１６Ａに略直交に入射させることができる。
【００３９】
具体的には、早朝で太陽光の太陽電池１２に対する傾きが大きい時には、遮光パターンの黒の面積を小さくして屈曲プレート２２の広範囲を屈曲させることによって、受光面１６Ａを東側へ大きく傾かせる。そして、時間が経つにつれて遮光パターンの黒の面積を次第に大きくしていき屈曲プレート２２の屈曲面積を小さくしてくことによって、受光面１６Ａの傾きを小さくしていく。
【００４０】
ここで、表示パネル１８は遮光パターンの無表示領域をいきなり黒に切換えるのではなく、その間に青又は緑色を表示し、屈曲プレート２２に青又は緑色の可視光線を照射させる。これによって、屈曲プレート２２の屈曲していた部分を元の平面形状に復元することができる。
【００４１】
そして、図４（Ｂ）に示すように、最も太陽高度が高い時間帯になると、表示パネル１８に全面黒一色の遮光パターンを表示し、屈曲プレート２２の全面を遮光する。これによって、屈曲プレート２２は一切屈曲せず、受光面１６Ａは真上を向く。これによって、略垂直に進行する太陽光が受光面１６Ａに略直交して入射する。
【００４２】
そして、図４（Ｃ）に示すように、太陽光が西に沈んで行くのに合わせて遮光パターンの黒の面積を西側へ減少させていき、屈曲プレート２２の屈曲部の面積を西側へ増加させていく。これによって、受光面１６Ａは、時間が経つにつれて西側への傾きを大きくしていくので、時間が経つにつれて西側への傾斜を大きくしていく太陽光を日没まで絶えず受光面１６Ａに略直角に入射させることができる。
【００４３】
このように、日中絶えず受光面１６Ａが太陽光に略直交して入射するように受光面１６Ａの向きを変化させるようにしたので、効率良く発電でき、１日の発電量を増加させることができる。
【００４４】
また、太陽電池１２全体をプレート状（パネル状）に構成したので、太陽電池１２を小型化できる。また、平面であれば何処にでも取付けることができるので、取付性も高い。さらに、太陽電池１２はデジタルカメラ１０の上面から突出しないので、デジタルカメラ１０の携帯性を損ねることがない。
【００４５】
なお、デジタルカメラ１０や図５に示すカメラ付携帯電話１００等は、置き方によって太陽電池１２の方位が変わるので、方位を検出する方位検出手段５６（図２参照）を備えている。コントローラ５０は、この方位検出手段５６によって検出された方位と、時刻に基づいて遮光パターンの形状、大きさを変化させる。
【００４６】
また、図６に示すように、太陽電池１２を住宅の屋根１１に設置する場合は、常に方位は一定になるので、この一定の方位と時刻に基づいて遮光パターンの形状、大きさを変化させる。
【００４７】
次に、第２実施形態について説明する。なお、第１実施形態と同様の構成には同一の符号を付し、説明は省略する。
【００４８】
図７（Ｄ）に示すように、太陽電池６０は、表示パネル６２、第１弾性部材６４、屈曲プレート６６、第２弾性部材６８が４つに分割されて太陽電池パネル１６の４隅に設けられている。
【００４９】
図７（Ａ）に示すように、太陽光が東側から傾斜して太陽電池６０に入射する場合は、東側に位置する表示パネル６２を黒一色とし、西側に位置する表示パネル６２を白一色にする。これによって、西側に位置する屈曲プレート６６のみ屈曲され、太陽電池パネル１６の西側が押し上げられる。従って、東側から傾斜して進行する太陽光を受光面１６Ａに略直交して入射させることができる。
【００５０】
また、図７（Ｂ）に示すように、太陽光が東西に傾斜せずに略垂直に進行している場合は、東西の表示パネル６２を黒一色とし、受光面１６Ａの向きを略垂直にする。これによって、略垂直に進行する太陽光が受光面１６Ａに略直交して入射する。
【００５１】
また、図７（Ｃ）に示すように、太陽光が西側から傾斜して太陽電池６０に入射する場合は、西側に位置する表示パネル６２を黒一色とし、東側に位置する表示パネル６２を白一色とする。これによって、東側に位置する屈曲プレート６６のみ屈曲され、太陽電池パネル１６の東側が押し上げられる。従って、西側から傾斜して進行する太陽光を受光面１６Ａに略直交して入射させることができる。
【００５２】
次に、第３実施形態について説明する。なお、第１、第２実施形態と同様の構成には同一の符号を付し、説明は省略する。
【００５３】
図８（Ａ）に示すように、太陽電池７０は、傾斜した設置面７２に設置されている。太陽電池パネル１６の受光面１６Ａは西向きに傾斜している。コントローラ５０（図２参照）は、太陽高度が最も高い時間帯になると表示パネル１８に東側が黒である遮光パターンを表示し、屈曲プレート２２の西側の部分を屈曲させる。これによって、太陽電池パネル１６は、受光面１６Ａが略垂直な向きになるまで西側の部分を押し上げられる。
【００５４】
このように、太陽高度が最も高い時間帯、即ち最も太陽光が強い時間帯に太陽光が受光面１６Ａに略直交して入射するようにしたので、最も大電力を発電できる時間帯に効率良く発電でき、１日の発電量を増加させることができる。
【００５５】
次に、第４実施形態について説明する。なお、第１乃至第３実施形態と同様の構成には同一の符号を付し、説明は省略する。
【００５６】
図９に示すように、太陽電池８０は、太陽電池パネル８２と屈曲プレート２２とが積層されて構成されている。太陽電池パネル８２は、透明で可撓性を有する。
【００５７】
この太陽電池８０は、テント８４に取付けられており、図９（Ａ）に示すように、屈曲プレート２２に太陽光が当っていない時は、テント８４は弛んでいるが、図９（Ｂ）に示すように、屈曲プレート２２に太陽光が当り、屈曲プレート２２が太陽電池パネル８２と共に屈曲するとテント８４は屈曲プレート２２、太陽電池パネル８２によって引張られる。即ち、太陽電池８０は、発電すると共にテント８４に張力を付与することができる。
【００５８】
なお、上記実施形態で用いられている屈曲プレート２２は、アゾベンゼンを主成分とするプラスチックで、弱い紫外光を当てるとＵ字状に変形、可視光を当てると元の平らな形に戻る（例えば、２００３年９月１１日付け英科学誌ネイチャー、同日付け東京新聞等参照）。
【図面の簡単な説明】
【００５９】
【図１】第１実施形態の太陽電池を備えるデジタルカメラを示す斜視図である。
【図２】第１実施形態の太陽電池を備えるデジタルカメラの回路構成を示すブロック図である。
【図３】第１実施形態の太陽電池を示す断面図である
【図４】（Ａ）〜（Ｃ）は第１実施形態の太陽電池の向きの変化を示す断面図である。
【図５】第１実施形態の太陽電池を備えるカメラ付携帯電話を示す斜視図である。
【図６】第１実施形態の太陽電池を備える住宅を示す斜視図である。
【図７】（Ａ）〜（Ｃ）は第２実施形態の太陽電池の向きの変化を示す断面図で、（Ｄ）は平面図である。
【図８】（Ａ）、（Ｂ）は第３実施形態の太陽電池の向きの変化を示す断面図である。
【図９】（Ａ）、（Ｂ）は第４実施形態の太陽電池の変化を示す断面図である。
【符号の説明】
【００６０】
１０    デジタルカメラ（太陽電池搭載機器）
１２    太陽電池
１６    太陽電池パネル
１８    表示パネル
２０    第１弾性部材（弾性部材）
２２    屈曲プレート
２４    第２弾性部材（弾性部材）
５０    コントローラ（第１遮光制御手段、第２遮光制御手段）
６０    太陽電池
６２    表示パネル
６４    第１弾性部材（弾性部材）
６６    屈曲プレート
６８    第２弾性部材（弾性部材）
７０    太陽電池
１００    カメラ付携帯電話（太陽電池搭載機器）
【図１】
2005159021.tif 000003
【図２】
2005159021.tif 000004
【図３】
2005159021.tif 000005
【図４】
2005159021.tif 000006
【図５】
2005159021.tif 000007
【図６】
2005159021.tif 000008
【図７】
2005159021.tif 000009
【図８】
2005159021.tif 000010
【図９】
2005159021.tif 000011